(57)【要約】      （修正有）【課題】フィルタ部材から塵埃を除去する機能を有する空気調和装置の室内ユニットにおいて、フィルタ部材から塵埃を除去するための構成のコンパクト化を図る。【解決手段】フィルタ部材から除去する塵埃除去部材５０、フィルタ部材を移動させるためにベルト部材５５と一対のベルト支持部材３１，３２と有する移動機構５１、及び塵埃を貯留する塵埃貯留容器４３を備える空気調和装置の室内ユニットにおいて、塵埃貯留容器４３を、移動機構５１における一方のベルト支持部材３１から他方のベルト支持部材３２に至るまでの領域に配置する。【選択図】図５
2008209100.tif 000002
【特許請求の範囲】
【請求項１】
吸込口（22）と吹出口（23）とが形成されたケーシング（34）を備え、
上記吸込口（22）から吸い込んだ空気を温度調節して上記吹出口（23）から室内へ吹き出す空気調和装置の室内ユニットであって、
上記吸込口（22）から吸い込んだ空気に含まれる塵埃を捕捉するフィルタ部材（41）と、
上記フィルタ部材（41）を移動させるための移動機構（51）と、
移動中の上記フィルタ部材（41）に接触して該フィルタ部材（41）から塵埃を除去する塵埃除去部材（50）と、
上記塵埃除去部材（50）によって上記フィルタ部材（41）から除去された塵埃を貯留するための塵埃貯留容器（43）とを備える一方、
上記移動機構（51）は、上記フィルタ部材（41）に係合し又は接合するベルト部材（55）と、互いに所定の間隔をおいて配置されると共にそれぞれの外周面が上記ベルト部材（55）の内周面と接して該ベルト部材（55）を支持する一対のベルト支持部材（31,32）とを備え、
上記塵埃貯留容器（43）は、上記移動機構（51）における一方のベルト支持部材（31,32）から他方のベルト支持部材（31,32）に至るまでの領域に配置されていることを特徴とする空気調和装置の室内ユニット。
【請求項２】
請求項１において、
上記塵埃貯留容器（43）は、上記ベルト部材（55）の幅方向から見た場合の上記一対のベルト支持部材（31,32）の一方と重複する領域に配置されていることを特徴とする空気調和装置の室内ユニット。
【請求項３】
請求項１又は２において、
上記ベルト部材（55）は、無端のベルトであって、上記一対のベルト支持部材（31,32）に巻き掛けられていることを特徴とする空気調和装置の室内ユニット。
【請求項４】
請求項１乃至３の何れか１つにおいて、
上記ケーシング（13）が天井に設置される天井設置型に構成される一方、
上記塵埃貯留容器（43）を上記ケーシング（34）に対して昇降させるための昇降機構（44）を備えていることを特徴とする空気調和装置の室内ユニット。
【請求項５】
請求項４において、
上記昇降機構（44）は、上記塵埃貯留容器（43）のみを昇降させることを特徴とする空気調和装置の室内ユニット。
【請求項６】
請求項４において、
上記ケーシング（34）は、上記吸込口（22）が形成されて該ケーシング（34）の下面側で室内に露出する吸込グリル部材（29）を備える一方、
上記昇降機構（44）は、上記吸込グリル部材（29）と共に上記塵埃貯留容器（43）を昇降させることを特徴とする空気調和装置の室内ユニット。
【発明の詳細な説明】
【技術分野】
【０００１】
本発明は、フィルタ部材から塵埃を除去する機構を備える空気調和装置の室内ユニットに関するものである。
【背景技術】
【０００２】
従来より、フィルタ部材から塵埃を除去する機構を備える空気調和装置の室内ユニットが知られている。この種の室内ユニットが特許文献１に開示されている
具体的に、特許文献１には、天井に設置される室内ユニットが開示されている。この室内ユニットには、フィルタ部材から塵埃を除去するための構成として、一対の回転ドラムとモータとブラシとケースとが設けられている。一対の回転ドラムには、フィルタが巻き付けられている。モータは、ブラシが植毛されたブラシドラムに連結されている。ブラシドラムには、歯車が設けられている。また、一対の回転ドラムの一方には、ブラシドラムの歯車と係合する歯車が設けられている。ケースは、ブラシドラムの下方に配置されている。
【０００３】
この室内ユニットでは、モータが回転すると、ブラシドラムが回転すると共に回転ドラムが回転する。回転ドラムが回転すると、フィルタがブラシ側の移動し、フィルタがブラシの位置を通過する際にフィルタから塵埃が除去されていく。フィルタから除去された塵埃は、ケースに落下する。
【特許文献１】特開平７−２７５６２６号公報
【発明の開示】
【発明が解決しようとする課題】
【０００４】
ところで、従来の空気調和装置の室内ユニットでは、フィルタ部材から塵埃を除去するための構成の占める空間が、塵埃を貯留する塵埃貯留容器の大きさの分、大きくなっていた。このため、その分、室内ユニットのコンパクト化を図ることが困難であった。
【０００５】
本発明は、かかる点に鑑みてなされたものであり、その目的は、フィルタ部材から塵埃を除去する機能を有する空気調和装置の室内ユニットにおいて、フィルタ部材から塵埃を除去するための構成のコンパクト化を図ることにある。
【課題を解決するための手段】
【０００６】
第１の発明は、吸込口（22）と吹出口（23）とが形成されたケーシング（34）を備え、上記吸込口（22）から吸い込んだ空気を温度調節して上記吹出口（23）から室内へ吹き出す空気調和装置の室内ユニット（13）を対象とする。そして、この室内ユニット（13）は、上記吸込口（22）から吸い込んだ空気に含まれる塵埃を捕捉するフィルタ部材（41）と、上記フィルタ部材（41）を移動させるための移動機構（51）と、移動中の上記フィルタ部材（41）に接触して該フィルタ部材（41）から塵埃を除去する塵埃除去部材（50）と、上記塵埃除去部材（50）によって上記フィルタ部材（41）から除去された塵埃を貯留するための塵埃貯留容器（43）とを備える一方、上記移動機構（51）は、上記フィルタ部材（41）に係合し又は接合するベルト部材（55）と、互いに所定の間隔をおいて配置されると共にそれぞれの外周面が上記ベルト部材（55）の内周面と接して該ベルト部材（55）を支持する一対のベルト支持部材（31,32）とを備え、上記塵埃貯留容器（43）は、上記移動機構（51）における一方のベルト支持部材（31,32）から他方のベルト支持部材（31,32）に至るまでの領域に配置されている。
【０００７】
第１の発明では、塵埃貯留容器（43）が、移動機構（51）における一方のベルト支持部材（31,32）から他方のベルト支持部材（31,32）に至るまでの領域に配置されている。具体的に、塵埃貯留容器（43）は、図６に示す斜線の領域に配置されている。この第１の発明で塵埃貯留容器（43）が配置される場所は、従来は、何も配置されることなくデッドスペースになっていた場所である。この第１の発明では、従来はデッドスペースになっていた空間を塵埃貯留容器（43）を配置するために有効利用している。
【０００８】
第２の発明は、上記第１の発明において、上記塵埃貯留容器（43）が、上記ベルト部材（55）の幅方向から見た場合の上記一対のベルト支持部材（31,32）の一方と重複する領域に配置されている。
【０００９】
第２の発明では、塵埃貯留容器（43）が、ベルト部材（55）の幅方向から見た場合の一対のベルト支持部材（31,32）の一方と重複する領域に配置されている。具体的に、塵埃貯留容器（43）は、図９に示す斜線の領域に配置されている。この第２の発明で塵埃貯留容器（43）が配置される場所は、従来は、何も配置されることなくデッドスペースになっていた場所である。この第２の発明では、従来はデッドスペースになっていた空間を塵埃貯留容器（43）を配置するために有効利用している。
【００１０】
第３の発明は、上記第１又は第２の発明において、ベルト部材（55）が、無端のベルトであって、上記一対のベルト支持部材（31,32）に巻き掛けられている。
【００１１】
第３の発明では、ベルト部材（55）が、無端のベルトである。ベルト部材（55）は、一対のベルト支持部材（31,32）に巻き掛けられた状態で、該一対のベルト支持部材（31,32）によって支持されている。
【００１２】
第４の発明は、上記第１乃至第３の何れか１つの発明において、上記ケーシング（13）が天井に設置される天井設置型に構成される一方、上記塵埃貯留容器（43）を上記ケーシング（34）に対して昇降させるための昇降機構（44）を備えている。
【００１３】
第４の発明では、昇降機構（44）によって塵埃貯留容器（43）がケーシング（34）に対して昇降可能になっている。塵埃貯留容器（43）は、塵埃貯留容器（43）内の塵埃を除去する際にケーシング（34）から下方へ降下される。そして、塵埃貯留容器（43）は、塵埃貯留容器（43）内の塵埃を除去した後にケーシング（34）側へ戻される。
【００１４】
第５の発明は、上記第４の発明において、昇降機構（44）が塵埃貯留容器（43）のみを昇降させる。
【００１５】
第５の発明では、昇降機構（44）によって昇降されるのが、塵埃貯留容器（43）のみである。重量が比較的小さい塵埃貯留容器（43）のみが昇降される。
【００１６】
第６の発明は、上記第４の発明において、上記ケーシング（34）が、上記吸込口（22）が形成されて該ケーシング（34）の下面側で室内に露出する吸込グリル部材（29）を備える一方、上記昇降機構（44）は、上記吸込グリル部材（29）と共に上記塵埃貯留容器（43）を昇降させる。
【００１７】
第６の発明では、塵埃貯留容器（43）内の塵埃を除去する際に、塵埃貯留容器（43）が吸込グリル部材（29）と共にケーシング（34）から下方へ降下される。そして、塵埃貯留容器（43）は、塵埃貯留容器（43）内の塵埃を除去した後に、吸込グリル部材（29）と共にケーシング（34）側へ戻される。
【発明の効果】
【００１８】
本発明では、移動機構（51）における一方のベルト支持部材（31,32）から他方のベルト支持部材（31,32）に至るまでの領域に塵埃貯留容器（43）を配置することで、従来はデッドスペースになっていた空間を塵埃貯留容器（43）を配置するために有効利用している。従って、フィルタ部材（41）から塵埃を除去するための構成が占める空間を拡大させずに、塵埃貯留容器（43）を設置することができるので、そのフィルタ部材（41）から塵埃を除去するための構成のコンパクト化を図ることができる。そして、室内ユニット（13）のコンパクト化を図ることも可能になる。
【００１９】
また、上記第４の発明では、塵埃貯留容器（43）内の塵埃を除去するために、塵埃貯留容器（43）が昇降機構（44）によってケーシング（34）に対して昇降可能になっている。ここで、塵埃貯留容器（43）を昇降できない場合には、塵埃貯留容器（43）に溜まった塵埃を除去する際に高所での作業を伴うので、塵埃貯留容器（43）から塵埃を除去する作業に大きな労力が必要となる。これに対して、この第４の発明では、昇降機構（44）によって塵埃貯留容器（43）をケーシング（34）から下方へ降下させることができる。従って、塵埃貯留容器（43）に溜まった塵埃を除去する際に高所での作業が必要なくなるので、塵埃貯留容器（43）から塵埃を除去する作業が容易化される。
【００２０】
また、上記第５の発明では、重量が比較的小さい塵埃貯留容器（43）のみが昇降機構（44）によって昇降される。従って、塵埃貯留容器（43）を昇降させるための動力が比較的小さくて済むので、簡素な構成で塵埃貯留容器（43）をケーシング（34）に対して昇降させることができる。
【発明を実施するための最良の形態】
【００２１】
以下、本発明の実施形態を図面に基づいて詳細に説明する。
【００２２】
本実施形態は、本発明に係る室内ユニット（13）を備える空気調和装置（10）である。この空気調和装置（10）では、室内ユニット（13）が室内空間の天井に設置される天井設置型に構成されている。なお、以下では、先ず本実施形態に係る空気調和装置（10）について説明し、次に本発明に係る室内ユニット（13）について説明する。
【００２３】
本実施形態に係る空気調和装置（10）は、図１に示すように、室外ユニット（11）と室内ユニット（13）とを備えている。室外ユニット（11）には、圧縮機（30）、室外熱交換器（35）、膨張弁（36）、四路切換弁（28）及び室外ファン（12）が設けられている。室内ユニット（13）には、室内熱交換器（37）及び室内ファン（39）が設けられている。
【００２４】
室外ユニット（11）において、圧縮機（30）の吐出側は、四路切換弁（28）の第１ポート（P1）に接続されている。圧縮機（30）の吸入側は、四路切換弁（28）の第３ポート（P3）に接続されている。
【００２５】
室外熱交換器（35）は、クロスフィン式のフィン・アンド・チューブ型熱交換器として構成されている。室外熱交換器（35）の一端は、四路切換弁（28）の第４ポート（P4）に接続されている。室外熱交換器（35）の他端は、液側閉鎖弁（15）に接続されている。
【００２６】
室外ファン（12）は、室外熱交換器（35）の近傍に設けられている。室外熱交換器（35）では、室外ファン（12）によって送られる室外空気と流通する冷媒との間で熱交換が行われる。室外熱交換器（35）と液側閉鎖弁（15）との間には、開度可変の膨張弁（36）が設けられている。また、四路切換弁（28）の第２ポート（P2）はガス側閉鎖弁（16）に接続されている。
【００２７】
四路切換弁（28）は、第１ポート（P1）と第２ポート（P2）が互いに連通して第３ポート（P3）と第４ポート（P4）が互いに連通する第１状態（図１に実線で示す状態）と、第１ポート（P1）と第４ポート（P4）が互いに連通して第２ポート（P2）と第３ポート（P3）が互いに連通する第２状態（図１に破線で示す状態）とが切り換え可能となっている。
【００２８】
この空気調和装置（10）では、圧縮機（30）が駆動されて、四路切換弁（28）が第１状態に設定されると暖房運転が行われる。暖房運転では、冷媒回路（18）において室外熱交換器（35）が蒸発器となって室内熱交換器（37）が凝縮器となる蒸気圧縮冷凍サイクルが行われる。一方、圧縮機（30）が駆動されて、四路切換弁（28）が第２状態に設定されると冷房運転が行われる。冷房運転では、冷媒回路（18）において室外熱交換器（35）が凝縮器となって室内熱交換器（37）が蒸発器となる蒸気圧縮冷凍サイクルが行われる。
【００２９】
《室内ユニットの構成》
本発明に係る室内ユニット（13）は、図２に示すように、ケーシング本体（26）と化粧パネル（27）とを有するケーシング（34）を備えている。ケーシング（34）内には、室内熱交換器（37）、室内ファン（39）、ドレンパン（40）、フィルタ部材である吸込フィルタ（41）、塵埃除去機構（42）、移動機構（51）、塵埃貯留容器（43）、及び昇降機構（44）が設けられている。
【００３０】
ケーシング本体（26）は、下側が開放された略直方体の箱状に形成されている。ケーシング本体（26）の内面には、断熱材（17）が積層されている。ケーシング本体（26）は、その下部が天井板の開口に挿通する状態で設置される。
【００３１】
化粧パネル（27）は、矩形の板状に形成されている。化粧パネル（27）の平面形状は、ケーシング本体（26）の平面形状よりも一回り大きくなっている。化粧パネル（27）は、シール部材（19）を間に挟んだ状態でケーシング本体（26）の下側を覆うように取り付けられる。化粧パネル（27）がケーシング本体（26）に取り付けられた状態では、化粧パネル（27）が室内に露出する。
【００３２】
化粧パネル（27）は、図２及び３に示すように、中央部に矩形の吸込口（22）が形成された吸込グリル部材（29）を備えている。吸込グリル部材（29）は、化粧パネル（27）の中央部に配置されており、下面が室内に露出している。また、化粧パネル（27）には、吸込グリル部材（29）を囲うように４つの吹出口（23）が形成されている。各吹出口（23）は、細長い矩形状に形成されている。各吹出口（23）は、化粧パネル（27）の各辺に沿うように形成されている。
【００３３】
また、化粧パネル（27）には、塵埃貯留容器（43）を出し入れするための出入用開口が形成されている。出入用開口には、その出入用開口の中央から両側へ開くように構成された一対の扉部材（70）が設けられている。一対の扉部材（70）は、ヒンジ部にバネ部材が設けられ、バネ部材によって化粧パネル（27）の下面に対して面一になるように保持されている（図示省略）。一対の扉部材（70）は、塵埃貯留容器（43）が下方へ向かって出入用開口を通過する際には下側に開き、塵埃貯留容器（43）が上方へ向かって出入用開口を通過する際には上側に開くようになっている。
【００３４】
室内ファン（39）は、いわゆるターボファンである。室内ファン（39）は、ケーシング本体（26）の真ん中付近に配置され、吸込口（22）の上側に位置している。室内ファン（39）は、ファンモータ（39a）と羽根車（39b）とを備えている。ファンモータ（39a）は、ケーシング本体（26）の天板に固定されている。羽根車（39b）は、ファンモータ（39a）の回転軸に連結されている。室内ファン（39）の下側には、吸込口（22）に連通するベルマウス（25）が設けられている。室内ファン（39）は、ベルマウス（25）を介して下側から吸い込んだ空気を周方向へ吹き出すように構成されている。
【００３５】
室内熱交換器（37）は、クロスフィン式のフィン・アンド・チューブ型熱交換器として構成されている。室内熱交換器（37）は、平面視でロ字状に形成され、室内ファン（39）の周囲を囲うように配置されている。室内熱交換器（37）では、室内ファン（39）によって送られる室内空気と流通する冷媒との間で熱交換が行われる。
【００３６】
ドレンパン（40）は、室内熱交換器（37）の下側に設けられている。ドレンパン（40）は、室内熱交換器（37）において空気中の水分が凝縮して生じるドレン水を受けるためのものである。ドレンパン（40）には、ドレン水を排水するためのドレンポンプが設けられている（図示省略）。ドレンパン（40）は、ドレンポンプを設置した箇所にドレン水が集まるように勾配がつけられている。
【００３７】
塵埃除去機構（42）は、吸込フィルタ（41）から塵埃を除去するための機構である。塵埃除去機構（42）は、図４及び図５に示すように、塵埃除去部材である回転ブラシ（50）を備えている。
【００３８】
回転ブラシ（50）は、棒状のシャフト部（50a）と、シャフト部（50a）の周囲の複数の植毛により構成されたブラシ部（50b）とを備えている。シャフト部（50a）の両端は、回転ブラシ（50）を挟むように配置された一対の支持部材（63）によってぞれぞれ回転自在に支持されている。シャフト部（50a）の両端には、シャフト部（50a）が支持部材（63）から外れることを防止するための止め部材（68）がそれぞれ取り付けられている。回転ブラシ（50）は、ブラシ部（50b）が後述する塵埃貯留容器（43）の導入口（43a）に位置するように設けられている。
【００３９】
移動機構（51）は、吸込フィルタ（41）から塵埃を除去する際に吸込フィルタ（41）を移動させるための機構である。移動機構（51）は、図５、図６、及び図７に示すように、移動用モータ（57）と伝動ベルト（55）とプーリ（32）とガイド部材（31）とレール部材（56）とを備えている。伝動ベルト（55）とプーリ（32）とガイド部材（31）とレール部材（56）とは、２つずつ設けられている。
【００４０】
プーリ（32）は、円柱状に形成されている。プーリ（32）は、棒状のシャフト部材（33）の各端部にそれぞれ取り付けられている。プーリ（32）の外周面には、後述する伝動ベルト（55）のコグと噛み合わされる複数の溝が形成されている。
【００４１】
シャフト部材（33）は、その軸方向が回転ブラシ（50）のシャフト部（50a）の軸方向と一致する状態で設けられている。シャフト部材（33）の一端側及び他端側は、共に支持部材（63）に形成された挿通孔に挿通されている。シャフト部材（33）の一端には、移動用モータ（57）が連結されている。移動用モータ（57）が駆動すると、シャフト部材（33）が回転してプーリ（32）が回転する。シャフト部材（33）の他端には、シャフト部材（33）が支持部材（63）から外れることを防止するための止め部材（67）が取り付けられている。
【００４２】
ガイド部材（31）は、円筒状に形成されている。ガイド部材（31）は、支持部材（63）から突出する円筒状の部材（38）によって回転自在に支持されてる。ガイド部材（31）の内径は円筒状の部材（38）の外径と概ね等しくなっている。２つのガイド部材（31）は、互いに同軸になるように、且つ、その軸がシャフト部材（33）の軸方向と一致するように設けられている。
【００４３】
伝動ベルト（55）は、内周面に複数のコグが形成されたコグ付きベルトである。伝動ベルト（55）は、ベルト部材を構成している。伝動ベルト（55）は、コグがプーリ（32）の溝に噛み合う状態で、プーリ（32）と、該プーリ（32）と同じ側に配置されたガイド部材（31）とに巻き掛けられている。プーリ（32）とガイド部材（31）とは、それぞれの外周面が伝動ベルト（55）の内周面と接して該伝動ベルト（55）を支持する一対のベルト支持部材（31,32）を構成している。
【００４４】
伝動ベルト（55）の外周面には、吸込フィルタ（41）のフレームを取り付けるための取付部（55a）が形成されている。伝動ベルト（55）には、その取付部（55a）に吸込フィルタ（41）のフレームの取付部を係合させることによって吸込フィルタ（41）が取り付けられている。
【００４５】
レール部材（56）は、略Ｕ字状に形成されている。レール部材（56）は、伝動ベルト（55）の周囲を囲うように配置されている。レール部材（56）は、吸込フィルタ（41）のガイドの役割を果たしている。レール部材（56）の内面には、吸込フィルタ（41）のフレームが当接する。レール部材（56）の両端には、吸込フィルタ（41）がレール部材（56）から脱落するのを防ぐためのストッパー（56a）がそれぞれ設けられている。
【００４６】
塵埃貯留容器（43）は、両端が閉塞された略円筒状の容器である。塵埃貯留容器（43）の外径は、ガイド部材（31）の外径と概ね等しくなっている。塵埃貯留容器（43）の両端面には、相対する位置に切り欠きが形成されている。塵埃貯留容器（43）の周面では、両端面の切り欠きの間に、吸込フィルタ部材から除去された塵埃を導入するための導入口（43a）が形成されている。また、塵埃貯留容器（43）の両端面には、後述する昇降機構（44）のワイヤ部材（58）を引っ掛けるための引掛部がそれぞれ設けられている。
【００４７】
塵埃貯留容器（43）は、導入口（43a）が上側に位置する状態で両ガイド部材（31）の間に設けられている。塵埃貯留容器（43）の軸方向は、ガイド部材（31）の軸方向と一致している。塵埃貯留容器（43）は、伝動ベルト（55）の幅方向から見た場合の伝動ベルト（55）の内側の領域であって、伝動ベルト（55）の幅方向から見た場合のガイド部材（31）と重複する領域に位置している。
【００４８】
昇降機構（44）は、図４及び図５に示すように、昇降用モータ（53）と２本のワイヤ部材（58）とを備えている。昇降用モータ（53）に連結された昇降用シャフト（71）には、各ワイヤ部材（58）の一端がそれぞれ接続されている。各ワイヤ部材（58）の他端は、塵埃貯留容器（43）の両端面の引掛部にそれぞれ接続されている。ワイヤ部材（58）は、回転ブラシ（50）のシャフト部（50a）に引っ掛けられており、昇降用シャフト（71）からシャフト部（50a）までは水平方向に延びてそのシャフト部（50a）から塵埃貯留容器（43）までは鉛直方向に延びている。
【００４９】
この実施形態の空気調和装置（10）では、暖房及び冷房運転中は、吸込フィルタ（41）全体がプーリ（32）に対して吸込口（22）とは逆側に位置している。吸込口（22）から吸い込んだ空気に含まれる塵埃は、吸込フィルタ（41）によって捕捉される。そして、吸込フィルタ（41）に捕捉された塵埃の量が多くなってくると、吸込フィルタ（41）における空気抵抗が増大して空気調和装置（10）の効率が低下するので、暖房及び冷房運転の停止時に吸込フィルタ（41）から塵埃を除去する塵埃除去動作が行われる。塵埃除去動作は、例えば前回の塵埃除去動作からの空気調和装置（10）の運転積算が所定の時間に達すると行われる。
【００５０】
塵埃除去動作では、移動用モータ（57）が駆動される。移動用モータ（57）が駆動すると、プーリ（32）の回転に伴って伝動ベルト（55）が回転する。そして、伝動ベルト（55）が回転すると、吸込フィルタ（41）がガイド部材（31）側へ移動する。塵埃除去動作では、吸込フィルタ（41）が、暖房及び冷房運転中に位置する除去開始位置から吸込フィルタ（41）全体が回転ブラシ（50）の上側を通過した後の除去終了位置まで移動する。吸込フィルタ（41）は、除去開始位置から除去終了位置へ移動する間にガイド部材（31）の位置で進行方向が反転する。吸込フィルタ（41）に付着する塵埃は、吸込フィルタ（41）が除去開始位置から除去終了位置へ移動する間に、回転ブラシ（50）のブラシ部（50b）によって掻き落とされる。吸込フィルタ（41）から掻き落とされた塵埃は、落下して塵埃貯留容器（43）に溜まる。
【００５１】
塵埃除去動作では、吸込フィルタ（41）が除去終了位置まで移動すると、移動用モータ（57）が逆方向に回転する。そして、吸込フィルタ（41）が除去開始位置に戻ってくると移動用モータ（57）が停止する。
【００５２】
また、この実施形態の空気調和装置（10）には、塵埃貯留容器（43）内の塵埃の量を検知するための検知センサが設けられている。検知センサは、例えば塵埃貯留容器（43）の重量を計測することによって塵埃貯留容器（43）内の塵埃の量を検知する。この空気調和装置（10）は、検知センサの値が所定値以上になると、塵埃貯留容器（43）内の掃除が必要であることを例えばリモコンに表示するように構成されている。
【００５３】
この空気調和装置（10）は、リモコンによって塵埃貯留容器（43）の昇降を指令可能に構成されている。ユーザーが塵埃貯留容器（43）を降下させることを指令すると、昇降機構（44）の昇降用モータ（53）の回転に伴ってワイヤ部材（58）が巻き出され、塵埃貯留容器（43）が降下する。そして、ユーザーが、塵埃貯留容器（43）内の塵埃を除去した後に、塵埃貯留容器（43）を上昇させることを指令すると、昇降用モータ（53）の回転に伴ってワイヤ部材（58）が巻き取られ、塵埃貯留容器（43）が上昇する。
【００５４】
−実施形態の効果−
本実施形態では、移動機構（51）における一方のベルト支持部材（31,32）から他方のベルト支持部材（31,32）に至るまでの領域である、伝動ベルト（55）の幅方向から見た場合の伝動ベルト（55）の内側の領域に塵埃貯留容器（43）を配置することで、従来はデッドスペースになっていた空間を塵埃貯留容器（43）を配置するために有効利用している。従って、フィルタ部材（41）から塵埃を除去するための構成が占める空間を拡大させずに、塵埃貯留容器（43）を設置することができるので、そのフィルタ部材（41）から塵埃を除去するための構成のコンパクト化を図ることができる。そして、室内ユニット（13）のコンパクト化を図ることも可能になる。
【００５５】
また、本実施形態では、塵埃貯留容器（43）を吸込口（22）と吸込フィルタ（41）との間の領域よりも外側に配置することで、吸込口（22）から吸込フィルタ（41）へ向かう空気の流れが、塵埃貯留容器（43）によって阻害されないようにしている。従って、吸込口（22）から吸込フィルタ（41）へ向かう空気の抵抗を増大させることなく、吸込フィルタ（41）から塵埃を除去するための構成のコンパクト化を図ることができる。
【００５６】
また、本実施形態では、塵埃貯留容器（43）内の塵埃を除去するために、塵埃貯留容器（43）が昇降機構（44）によってケーシング（34）に対して昇降可能になっている。ここで、塵埃貯留容器（43）を昇降できない場合には、塵埃貯留容器（43）に溜まった塵埃を除去する際に高所での作業を伴うので、塵埃貯留容器（43）から塵埃を除去する作業に大きな労力が必要となる。これに対して、本実施形態では、昇降機構（44）によって塵埃貯留容器（43）をケーシング（34）から下方へ降下させることができる。従って、塵埃貯留容器（43）に溜まった塵埃を除去する際に高所での作業が必要なくなるので、塵埃貯留容器（43）から塵埃を除去する作業が容易化される。
【００５７】
また、本実施形態では、重量が比較的小さい塵埃貯留容器（43）のみが昇降機構（44）によって昇降される。従って、塵埃貯留容器（43）を昇降させるための動力が比較的小さくて済むので、簡素な構成で塵埃貯留容器（43）をケーシング（34）に対して昇降させることができる。
【００５８】
−実施形態の変形例−
実施形態の変形例について説明する。この変形例では、図８に示すように、昇降機構（44）が、吸込グリル部材（29）と共に塵埃貯留容器（43）を昇降させるように構成されている。
【００５９】
具体的に、吸込グリル部材（29）には、移動機構（51）が取り付けられている。移動機構（51）のガイド部材（31）の間には、塵埃貯留容器（43）が着脱自在に保持されている。また、昇降機構（44）は、昇降用モータ（53）を２つ備えている。昇降用モータ（53）に連結された昇降用シャフト（71）には、ワイヤ部材（58）の一端がそれぞれ接続されている。ワイヤ部材（58）の他端は、吸込グリル部材（29）の周縁部に接続されている。なお、昇降用モータ（53）は、１つであってもよい
この変形例では、昇降機構（44）によって、吸込グリル部材（29）と共に、移動機構（51）及び塵埃貯留容器（43）が昇降可能になっている。また、回転ブラシ（50）や吸込フィルタ（41）も、吸込グリル部材（29）と共に昇降される。
【００６０】
《その他の実施形態》
上記実施形態は、以下の変形例のように構成してもよい。
【００６１】
−第１変形例−
上記実施形態について、室内ユニット（13）が室内の壁面に設置されるタイプのものであってもよい。
【００６２】
−第２変形例−
上記実施形態について、室内ユニット（13）が、上記実施形態と同様に天井に設置されるように構成され、吸込口（22）がケーシング（34）の天板や側壁に形成されていてもよい。
【００６３】
−第３変形例−
上記実施形態について、室内ユニット（13）は、塵埃貯留容器（43）が昇降可能になっていなくてもよい。
【００６４】
−第４変形例−
上記実施形態について、図９に示すように、伝動ベルトが一対のベルト支持部材（31,32）にそれぞれ巻き付けられてもよい。この場合、塵埃貯留容器（43）は、伝動ベルト（55）の幅方向から見た場合のガイド部材（31）又はプーリ（32）と重複する領域（図９に示す斜線の領域）における導入口（43a）が吸込フィルタ（41）に対して対面可能な位置に配置される。
【００６５】
−第５変形例−
上記実施形態について、筒状のガイド部材（31）がプーリの役割を果たしてもよい。この場合、例えば図１０に示すように移動用モータ（57）に連結されたシャフト部材が回転ブラシ（50）の上方に配置される。ガイド部材（31）の外周面には、移動用モータ（57）のシャフト部材に取り付けられた歯車と噛み合わせるギア部が形成されている。移動用モータ（57）が回転すると、ガイド部材（31）が回転して、吸込フィルタ（41）が移動する。
【００６６】
−第６変形例−
上記実施形態について、回転ブラシ（50）を回転させるためにブラシ用モータを設けてもよい。ブラシ用モータは、例えば回転ブラシ（50）のシャフト部（50a）に連結される。この場合、移動用モータ（57）を設けずに、吸込フィルタ（41）が、回転ブラシ（50）のブラシ部（50b）に押されて移動するようにしてもよい。
【００６７】
−第７変形例−
上記実施形態について、図１１に示すように、プーリ（32）とガイド部材（31）の間に、暖房及び冷房運転時に吸込フィルタ（41）を波状に保持する複数のガイドローラ（45）を設けてもい。この場合、上記実施形態のように平板状に保持される吸込フィルタ（41）に比べて、吸込フィルタ（41）の面積を大きくすることができる。従って、同じ量の塵埃を捕捉している状態で比較すると、単位面積当たり付着する塵埃の量が少なくなるので、吸込フィルタ（41）の空気抵抗が小さくなる。
【００６８】
−第８変形例−
上記実施形態について、移動機構（51）が、吸込フィルタ（41）を往復移動させるのではなく、回転移動させるように構成されていてもよい。この場合、図１１に示すように、レール部材（56）は長円状に形成される。
【００６９】
−第９変形例−
上記実施形態について、塵埃除去機構（42）が、塵埃を吸い込むことによって吸込フィルタ（41）から塵埃を除去するように構成されていてもよい。この場合、塵埃除去機構（42）は、吸込用ファンを備えている。
【００７０】
−第１０変形例−
上記実施形態について、塵埃貯留容器（43）が、伝動ベルト（55）の幅方向から見た場合のガイド部材（31）とプーリ（32）と間の領域における導入口（43a）が吸込フィルタ（41）に対して対面可能な位置に配置されていてもよい。
【００７１】
なお、以上の実施形態は、本質的に好ましい例示であって、本発明、その適用物、あるいはその用途の範囲を制限することを意図するものではない。
【産業上の利用可能性】
【００７２】
以上説明したように、本発明は、フィルタ部材から塵埃を除去する機構を備える空気調和装置の室内ユニットについて有用である。
【図面の簡単な説明】
【００７３】
【図１】本発明の実施形態に係る空気調和装置の冷媒回路の概略構成図である。
【図２】本発明の実施形態に係る室内ユニットの断面図である。
【図３】本発明の実施形態に係る化粧パネルを下側から見た斜視図である。
【図４】本発明の実施形態に係る塵埃貯留容器及び昇降機構の側面図である。
【図５】本発明の実施形態に係る塵埃除去機構、レール部材を省略した移動機構、塵埃貯留容器、及び昇降機構の平面図である。
【図６】本発明の実施形態に係る移動機構の断面図である。
【図７】本発明の実施形態に係るレール部材を省略した移動機構の斜視図である。
【図８】本発明の実施形態の変形例に係る吸込グリル部材、移動機構、及び昇降機構の側面図である。
【図９】その他の実施形態の第４変形例に係る移動機構の概略構成図である。
【図１０】その他の実施形態の第５変形例に係るレール部材を省略した移動機構の斜視図である。
【図１１】その他の実施形態の第７変形例及び第８変形例に係る移動機構の断面図である。
【符号の説明】
【００７４】
10  空気調和装置
13  室内ユニット
22  吸込口
23  吹出口
31  ガイド部材（ベルト支持部材）
32  プーリ（ベルト支持部材）
34  ケーシング
41  吸込フィルタ（フィルタ部材）
43  塵埃貯留容器
43a 導入口
44  昇降機構
50  回転ブラシ（塵埃除去部材）
51  移動機構
55  伝動ベルト
【図１】
2008209100.tif 000003
【図２】
2008209100.tif 000004
【図３】
2008209100.tif 000005
【図４】
2008209100.tif 000006
【図５】
2008209100.tif 000007
【図６】
2008209100.tif 000008
【図７】
2008209100.tif 000009
【図８】
2008209100.tif 000010
【図９】
2008209100.tif 000011
【図１０】
2008209100.tif 000012
【図１１】
2008209100.tif 000013